(57)【特許請求の範囲】
【請求項１】
共通制御チャネルと共通アクセスチャネルとを有する移動無線通信方式におけるチャネル制御方法において、
基地局は、共通制御チャネルを用いて、複数の共通アクセスチャネルを、全移動局に通知する第１のステップと、
移動局は、第１のステップで通知された共通アクセスチャネルの中の一つを用いて、基地局にアクセスする第２のステップと、
前記基地局は、前記移動局がアクセスしてきた共通アクセスチャネル上で、第１のステップで通知したチャネルとは別の共通アクセスチャネルを通信チャネルとして通知する第３のステップと、
前記移動局は、第３のステップで通知された共通アクセスチャネルを用いて、前記基地局と通信する第４のステップとを有することを特徴とする移動無線通信方式におけるチャネル制御方法。
【請求項２】
請求項１記載の移動無線通信方式におけるチャネル制御方法において、
移動無線通信方式は、複数の無線ゾーンにより構成される移動無線通信方式であって、
前記基地局は、前記第３のステップにおける前記第１のステップで通知したチャネルとは別の共通アクセスチャネルとして、周辺ゾーンの共通アクセスチャネルを含む、一又は複数の共通アクセスチャネルを通知することを特徴とする移動無線通信方式におけるチャネル制御方法。
【請求項３】
請求項１又は２記載の移動無線通信方式におけるチャネル制御方法において、
前記移動局は、周辺ゾーンの共通アクセスチャネルの受信レベルを測定し、その測定結果を、前記基地局に通知し、
前記基地局は、前記移動局から通知された前記移動局の周辺ゾーンの共通アクセスチャネルの測定結果を参考にして、前記第３のステップにおける前記第１のステップで通知したチャネルとは別の共通アクセスチャネルを通知することを特徴とする移動無線通信方式におけるチャネル制御方法。
【請求項４】
共通制御チャネルと共通アクセスチャネルとを有する通信方式の移動無線通信システムにおける基地局装置において、
移動局がアクセスするために、共通制御チャネル上で第１の共通アクセスチャネルを全移動局に通知する手段と、
前記移動局がアクセスしてきた第１の共通アクセスチャネル上で、上記第１の共通アクセスチャネルとは別の第２の共通アクセスチャネルを通信チャネルとして通知する手段と、
前記移動局と前記第２の共通アクセスチャネルを用いて通信する通信手段とを有することを特徴とする基地局装置。
【請求項５】
共通制御チャネルと共通アクセスチャネルとを有する通信方式の移動無線通信システムにおいて、
基地局は、共通制御チャネルを用いて、複数の共通アクセスチャネルを、全移動局に通知する第１の通知手段と、
移動局は、第１の通知手段で通知された共通アクセスチャネルの中の一つを用いて、基地局にアクセスするアクセス手段と、
前記基地局は、前記移動局がアクセスしてきた共通アクセスチャネル上で、第１の通知手段で通知したチャネルとは別の共通アクセスチャネルを通信チャネルとして通知する第２の通知手段と、
前記移動局は、第２の通知手段で通知された共通アクセスチャネルを用いて、前記基地局と通信する通信手段とを有することを特徴とする移動無線通信システム。
【請求項６】
請求項５記載の移動無線通信システムにおいて、
移動無線通信システムは、複数の無線ゾーンにより構成され、
前記基地局は、前記第２の通知手段で通知する共通アクセスチャネルとして、周辺ゾーンの共通アクセスチャネルを含む、一又は複数の共通アクセスチャネルを通知することを特徴とする移動無線通信システム。
【発明の詳細な説明】
【０００１】
【発明の属する技術分野】
本発明は、移動無線通信方式におけるチャネル制御方法、移動無線通信システム及び移動無線通信システムにおける基地局装置に関する。
【０００２】
【従来の技術】
複数の無線ゾーンにより構成される移動通信方式の共通アクセスチャネルによる通信方式の例として、ディジタル自動車電話方式（Personal  Ｄigital  Ｃellular:ＰＤＣ)におけるパケット通信がある。ＰＤＣにおける共通アクセスチャネルの通信方式は、当該無線ゾーンの全共通アクセスチャネル(ＵＰＣＨ)情報を、制御チャネル上の報知情報を用いて移動局に通知する方法を採用している。
【０００３】
例えば、図８に示すように、基地局装置（以下、「基地局」という。 ）は、制御チャネル上の報知情報にて、移動局が使用可能な共通アクセスチャネルＡ、Ｂ、Ｃを報知する（Ｓ１０）。当該無線ゾーンに在圏する移動局は、制御チャネル上の報知情報から、当該無線ゾーンでは、共通アクセスチャネルＡ、Ｂ、Ｃでアクセスすることを知る。
【０００４】
移動局は、報知情報上の制御情報（データ）、移動局固有のＩＤ番号等を用いて計算し、一つの共通アクセスチャネルを選択する（Ｓ１３：群分け処理）。群分け処理の結果が、チャネルＣのとき、共通アクセスチャネルＣで、基地局にアクセスして（Ｓ１１）、その共通アクセスチャネルＣで通信する（Ｓ１２）。
【０００５】
なお、基地局は、報知情報にて、移動局が使用可能な共通アクセスチャネルを通知するが、この使用可能な共通アクセスチャネルは、無線回線の状況を見て決める。例えば、トラヒックが大きくなれば、使用可能な共通アクセスチャネル数を増加し、トラヒックが小さくなれば、使用可能な共通アクセスチャネル数を減少させる。
【０００６】
【発明が解決しようとする課題】
しかしながら、従来のものは、共通アクセスチャネル数が多くなった場合には、報知情報が長くなり、報知情報を送信している制御チャネルを圧迫し、制御チャネルで送信すべき他の制御情報の伝送を阻害するという問題がある。
【０００７】
また、基地局は、共通アクセスチャネル数の変更の度に、当該無線ゾーンの制御チャネル上の報知情報を変更する必要があるという問題がある。
【０００８】
また、報知情報の頻繁な変更は、移動局の群分け処理や報知情報の受信頻度の増大に繋がり、移動局のバッテリー消費量が大きくなるという問題が生じる。
【０００９】
また、現状では、特定の無線ゾーンにトラヒックが集中して、周辺ゾーンへのトラヒック分散の必要が生じた場合でも、移動局は、周辺ゾーンの共通アクセスチャネル情報を取得できないために、周辺ゾーンへのチャネル切替を行うことができず、特定の無線ゾーンでのトラヒック集中が避けられないという問題がある。
【００１０】
本発明は、上記問題に鑑みなされたものであり、共通制御チャネルと共通アクセスチャネルとを有する移動無線通信方式において、報知情報が長くなることによる制御チャネルの圧迫を回避すること、共通アクセスチャネル数変更への柔軟な配置を可能とすること、共通アクセスチャネルのトラヒック分散を容易に実現することを目的とするものである。
【００１１】
【課題を解決するための手段】
上記課題を解決するために、本件発明は、以下の特徴を有する課題を解決するための手段を採用している。
【００１２】
請求項１に記載された発明は、共通制御チャネルと共通アクセスチャネルとを有する移動無線通信方式におけるチャネル制御方法において、基地局は、共通制御チャネルを用いて、一又は複数の共通アクセスチャネルを、全移動局に通知する第１のステップと、移動局は、第１のステップで通知された共通アクセスチャネルの中の一つを用いて、基地局にアクセスする第２のステップと、前記基地局は、前記移動局がアクセスしてきた共通アクセスチャネル上で、第１のステップで通知したチャネルとは別の共通アクセスチャネルを通知する第３のステップと、前記移動局は、第３のステップで通知された共通アクセスチャネルを用いて、前記基地局と通信する第４のステップとを有することを特徴とする。
【００１３】
なお、基地局は、移動無線通信システムの一部であり、移動無線通信網の一部である。従って、移動局が、基地局と通信することは、移動局が移動無線通信網と通信することであり、換言すれば、移動局が移動無線通信網を介して、他の移動局又は固定局と通信することに相当する。
【００１４】
また、基地局は、基地局自体と解しても良いし、移動無線通信網の一部と解しても良い。
【００１５】
請求項１記載の発明によれば、基地局は、移動局がアクセスしてきた共通アクセスチャネル上で、当初通知したチャネルとは別の共通アクセスチャネルを通知して、この共通アクセスチャネルを用いて、移動局と通信することにより、報知情報が長くなることによる制御チャネルの圧迫を回避すること、共通アクセスチャネル数変更への柔軟な配置を可能とすることができる。
【００１６】
請求項２に記載された発明は、請求項１記載の移動無線通信方式におけるチャネル制御方法において、移動無線通信方式は、複数の無線ゾーンにより構成される移動無線通信方式であって、前記基地局は、前記第３のステップにおける前記第１のステップで通知したチャネルとは別の共通アクセスチャネルとして、周辺ゾーンの共通アクセスチャネルを含む、一又は複数の共通アクセスチャネルを通知することを特徴とする。
【００１７】
請求項２記載の発明によれば、基地局（移動無線通信網）は、当初通知したチャネルとは別の共通アクセスチャネルとして、周辺ゾーンの共通アクセスチャネルを含む、一又は複数の共通アクセスチャネルを通知する。これにより、周辺ゾーンの共通アクセスチャネルを利用することが可能となり、特定ゾーンにおけるトラヒックの集中を防ぐことができる。
【００１８】
請求項３に記載された発明は、請求項１又は２記載の移動無線通信方式におけるチャネル制御方法において、前記移動局は、周辺ゾーンの共通アクセスチャネルの受信レベルを測定し、その測定結果を、前記基地局に通知し、前記基地局は、前記移動局から通知された前記移動局の周辺ゾーンの共通アクセスチャネルの測定結果を参考にして、前記第３のステップにおける前記第１のステップで通知したチャネルとは別の共通アクセスチャネルを通知することを特徴とする。
【００１９】
請求項３記載の発明によれば、移動局は、周辺ゾーンの共通アクセスチャネルの受信レベルを測定し、その測定結果を、基地局に通知することができる。これにより、基地局（移動無線通信網）は、移動局から通知された移動局の周辺ゾーンの共通アクセスチャネルの測定結果を参考にして、移動局に共通アクセスチャネルを通知することで、無駄のない共通アクセスチャネルを通知することができる。
【００２０】
請求項４に記載された発明は、共通制御チャネルと共通アクセスチャネルとを有する通信方式の移動無線通信システムにおける基地局装置において、移動局がアクセスするために、共通制御チャネル上で第１の共通アクセスチャネルを全移動局に通知する手段と、前記移動局がアクセスしてきた第１の共通アクセスチャネル上で、上記第１の共通アクセスチャネルとは別の第２の共通アクセスチャネルを通知する手段と、前記移動局と前記第２の共通アクセスチャネルを用いて通信する通信手段とを有することを特徴とする。
【００２１】
請求項４記載の発明により、請求項１〜３記載の移動無線通信方式におけるチャネル制御方法に適した基地局装置を提供することができる。
【００２２】
請求項５に記載された発明は、共通制御チャネルと共通アクセスチャネルとを有する通信方式の移動無線通信システムにおいて、基地局は、共通制御チャネルを用いて、一又は複数の共通アクセスチャネルを、全移動局に通知する第１の通知手段と、移動局は、第１の通知手段で通知された共通アクセスチャネルの中の一つを用いて、基地局にアクセスするアクセス手段と、前記基地局は、前記移動局がアクセスしてきた共通アクセスチャネル上で、第１の通知手段で通知したチャネルとは別の共通アクセスチャネルを通知する第２の通知手段と、前記移動局は、第２の通知手段で通知された共通アクセスチャネルを用いて、前記基地局と通信する通信手段とを有することを特徴とする。
【００２３】
請求項６に記載された発明は、請求項５記載の移動無線通信システムにおいて、移動無線通信システムは、複数の無線ゾーンにより構成され、前記基地局は、前記第２の通知手段で通知する共通アクセスチャネルとして、周辺ゾーンの共通アクセスチャネルを含む、一又は複数の共通アクセスチャネルを通知することを特徴とする。
【００２４】
請求項５又は６記載の発明により、請求項１〜３記載の移動無線通信方式におけるチャネル制御方法に適した移動無線通信システムを提供することができる。
【発明の実施の形態】
次に、本発明の実施の形態について図面と共に説明する。
【００２５】
図１に、本発明の移動局の構成例を示す。１０１は無線区間に対する移動局の送受信信号の変復調、符号化・復号化等を行う無線部、１０２は共通アクセスチャネルのレベル測定を司る測定部、１０３は基地局から受信した信号を解析する信号解析部、１０４は送信信号が発生した場合に送信制御を行う送信制御部である。
【００２６】
移動局は、基地局からの信号を無線部１０１で受信し、測定部１０２及び信号解析部１０３へ、受信した信号を送信する。また、基地局への送信信号を、送信制御部１０４の制御により、無線部１０１から送信する。
【００２７】
測定部１０２では、在圏する無線ゾーンにおける共通アクセスチャネルの受信レベル及び周辺無線ゾーンにおける共通アクセスチャネルの受信レベルを測定する。これらの測定結果は、必要に応じて、基地局に送信される。例えば、基地局への共通アクセスチャネルへのアクセス時に、基地局へ通知する。
【００２８】
信号解析部１０３は、基地局から受信した信号を解析する。例えば、共通制御チャネル上での共通アクセスチャネル番号を抽出して、送信タイミング、送信チャネル等を送信制御部１０４に通知する。また、必要に応じて、群分け処理を行う。
【００２９】
送信制御部１０４は、信号解析部１０３の解析により送信信号が発生した場合、又は、移動局内の信号生成部より送信信号が発生した場合に送信制御を行う。
【００３０】
移動局は、共通制御チャネルにより、基地局からの報知情報を受ける。報知情報には、移動局が使用する共通アクセスチャネルが指定されている。
【００３１】
移動局は指定された共通アクセスチャネルで、基地局と通信を行う。そのとき、更に、基地局から、一又は複数の共通アクセスチャネルが指定された場合、移動局は、２回目に指定された共通アクセスチャネルの一つで、基地局と通信を行う。
【００３２】
複数の共通アクセスチャネルが指定された場合は、報知情報上の制御情報（データ）、移動局固有のＩＤ番号等を用いて計算し、一つの共通アクセスチャネルを選択する（群分け処理）。
【００３３】
図２に、本発明の基地局の構成例を示す。２０１は無線区間に対する基地局の送受信信号の変復調・符号化・復号化等を行う無線部、２０２は網との間で信号を送信/受信する送受信部、２０３は無線部及び送受信部からの信号を解析する信号解析部、２０４は信号を送信する場合に、送信制御を行う送信制御部、２０５は信号解析部２０３の出力によりチャネルの制御を行うチャネル制御部である。
【００３４】
なお、信号解析部２０３の移動局情報データベース２０６には、個々の移動局における周辺ゾーンの共通アクセスチャネルの受信レベル等の情報を格納する。
【００３５】
基地局は、移動局からの信号を無線部２０１で受信し、送受信部２０２を介して、ネットワークに送信する。また、ネットワークからの信号は、送受信部２０２、無線部２０１を介して、移動局に送信される。
【００３６】
信号解析部２０３は、移動局から受信した信号及びネットワークから受信した信号を解析する。解析の結果を、送信制御部２０４に通知する。また、移動局情報データベース２０６に、無線部２０１から受信した個々の移動局における周辺ゾーンの共通アクセスチャネルの受信レベル等の情報を格納する。
【００３７】
信号解析部２０３は、必要に応じて、移動局情報データベース２０６を参照して、周辺ゾーンの共通アクセスチャネルの情報をチャネル制御部２０５に渡す。
【００３８】
チャネル制御部２０５は、信号解析部２０３からのデータ等に基づいて、基地局における共通制御チャネル、共通アクセスチャネル等の制御を行う。
【００３９】
なお、チャネル制御部２０５は、ネットワークに設けられた回線制御部（図示せず）からの制御情報を送受信部２０２で受信して、その情報により制御されてもよい（図２における点線）。このときは、信号解析部及び移動局情報データベースは、ネットワークに設ける。
【００４０】
送信制御部２０４は、チャネル制御部２０５からの信号を受けて、移動局に対して共通アクセスチャネル情報等の信号を送信する場合、網に対して無線区間の信号を送信する場合等に送信制御を行う。
【００４１】
基地局は、当該無線ゾーンにおける共通アクセスチャネルのうちの一部に関する情報を、共通制御チャネル上の報知情報により移動局に通知し、移動局がアクセスした共通アクセスチャネル上にて、個別に、通信チャネルとなる共通アクセスチャネル情報を通知する。
【００４２】
また、移動局が、周辺ゾーンの共通制御チャネルの受信レベルを測定した結果を、共通アクセスチャネルへのアクセス時に受信する。基地局（又はネットワーク）は、この情報を用い、移動局がアクセスした無線ゾーンに割当候補の共通アクセスチャネルが存在しない場合等において、周辺ゾーンの共通アクセスチャネル情報を通知する。
【００４３】
図３に、本発明の報知情報の構成例を示す。メッセージ種別、共通制御チャネル情報、共通アクセスチャネル情報等の情報から構成されている。
【００４４】
報知情報には、当該無線ゾーンにおける共通アクセスチャネルの情報が通知されるが、報知情報にて移動局に通知する共通アクセスチャネル数は、全ての共通アクセスチャネルでなく、限定された共通アクセスチャネルが通知される。
【００４５】
図４、図５に、本発明の第１の実施の形態における移動局と基地局間のシーケンスを示す。
【００４６】
図６、図７に、本発明の第２の実施の形態における移動局と基地局間のシーケンスを示す。
【００４７】
図４〜図７において、４０１は、図１における移動局を示しており、４０２は、図２の基地局を示している。
【００４８】
移動局４０１は、基地局４０２が制御チャネル上で通知する報知情報により、当該無線ゾーンの共通アクセスチャネルＡの情報を取得する（Ｓ２０）。移動局４０１は、共通アクセスチャネルＡにアクセスする(Ｓ２１)。そのとき、基地局４０２から、共通アクセスチャネルＡ上で、当該無線ゾーンの共通アクセスチャネルＢの情報を個別に通知された場合には(Ｓ２２)、移動局４０１は、共通アクセスチャネルをＡからＢに変更してアクセスし（Ｓ２３）、通信を行う(Ｓ２４)。
【００４９】
また、移動局４０１は、図５に示すように、報知情報にて通知された共通アクセスチャネルＡ上で、基地局４０２から、当該無線ゾーンの２つ(２つに限定されない、複数)の共通アクセスチャネルＢとＣの情報を個別に通知された場合(Ｓ３２)、報知情報上の制御情報（データ）、移動局固有のＩＤ番号等を用いた群分け計算等による振り分け(Ｓ３５)を行い、使用する共通アクセスチャネルを決定することも可能である。
【００５０】
図６において、移動局４０１は、基地局４０２が制御チャネル上で通知する報知情報にて、当該無線ゾーンの共通アクセスチャネルＡの情報を取得する（Ｓ４０）。前記移動局は、前記共通アクセスチャネルＡにアクセスする(Ｓ４１)。このとき、基地局４０２から共通アクセスチャネルＡ上にて、周辺ゾーン（その基地局４０２’）の共通アクセスチャネルＤの情報を個別に通知された場合には(Ｓ４２)、基地局４０２’に配置されている共通アクセスチャネルＤにて通信を行う(Ｓ４４)。
【００５１】
また、図７に示すように、移動局４０１は、基地局４０２から報知情報にて通知された共通アクセスチャネルＡ上で、周辺ゾーンの２つ(２つに限定されない、複数)の共通アクセスチャネルＤとＥの情報を個別に通知された場合(Ｓ５２)、報知情報上の制御情報（データ）、移動局固有のＩＤ番号等を用いた群分け計算等による振り分け(Ｓ５５)にて使用する共通アクセスチャネルを決定することも可能である。
【００５２】
なお、本発明は、従来の技術のように、無線ゾーン内の共通アクセスチャネルのうち、全ての共通アクセスチャネルを報知情報で通知するのではなく、一部の共通アクセスチャネル情報を通知するようにした点で異なる。
【００５３】
また、本発明は、通信に使用する共通アクセスチャネルとして、周辺ゾーンの共通アクセスチャネル情報を、当該無線ゾーンの制御チャネル上の報知情報で通知するようにした点で、従来の技術とは異なる。
【００５４】
【発明の効果】
上述の如く本発明によれば、次に述べる種々の効果を奏することができる。
【００５５】
無線ゾーンの一部の共通アクセスチャネル情報と周辺ゾーンの共通アクセスチャネル情報を、当該無線ゾーンの制御チャネル上の報知情報で通知した共通アクセスチャネル上で通知する。
【００５６】
これにより、報知情報の長さが限られて、制御チャネルを圧迫することがなく、更に、共通アクセスチャネル数変更時の報知情報の変更が不要になることから、共通アクセスチャネル数変更処理の簡易化が図れる。
【００５７】
また、移動局に対して、待ち受け時に周辺ゾーンの共通アクセスチャネル情報を通知することで、周辺ゾーンの共通アクセスチャネルを使用することが可能となり、トラヒックの分散が可能となる。
【図面の簡単な説明】
【図１】本発明の移動局の構成例を説明するための図である
【図２】本発明の基地局の構成例を説明するための図である。
【図３】本発明の報知情報の構成例を説明するための図である。
【図４】本発明の第１の実施の形態における移動局と基地局間のシーケンス（その１）を示す。
【図５】本発明の第１の実施の形態における移動局と基地局間のシーケンス（その２）を示す。
【図６】本発明の第２の実施の形態における移動局と基地局間のシーケンス（その１）を示す。
【図７】本発明の第２の実施の形態における移動局と基地局間のシーケンス（その２）を示す。
【図８】従来のチャネル制御方法を説明するための図である。
【符号の説明】
１０１    移動局の無線部
１０２    移動局の測定部
１０３    移動局の信号解析部
１０４    移動局の送信制御部
２０１    基地局の無線部
２０２    基地局の送受信部
２０３    基地局の信号解析部
２０４    基地局の送信制御部
２０５    基地局のチャネル制御部
２０６    基地局の移動局情報データベース
【図１】
0004472124.tif 000002
【図２】
0004472124.tif 000003
【図３】
0004472124.tif 000004
【図４】
0004472124.tif 000005
【図５】
0004472124.tif 000006
【図６】
0004472124.tif 000007
【図７】
0004472124.tif 000008
【図８】
0004472124.tif 000009